【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
応答を有する適合的フィルタを実装する処理回路であって、該応答は、該基準マイクロフォン信号から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該適合的フィルタの第１のサンプルレートは、該係数制御ブロックが動作する第２のサンプルレートよりも実質的に高く、前記ソースオーディオは、前記第２のサンプルレートと等しいか、または該第２のサンプルレートより低いサンプルレートを有し、
前記処理回路に含まれた、該ソースオーディオを前記第１のサンプルレートに変換する補間器と、
前記処理回路に含まれた、前記アンチノイズ信号と該補間器の出力とを組み合わせ、該第１のサンプルレートで前記オーディオ信号を生成するコンバイナと、
を有するパーソナルオーディオデバイス。
【請求項２】
前記処理回路は、前記ソースオーディオを成形する二次経路応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、該二次経路適合的フィルタも、前記第１のサンプルレートで作動させられ、該二次経路適合的フィルタの係数の更新は、前記第２のサンプルレートと等しいか、または該第２のサンプルレートより低いレートで実行される、請求項１に記載のパーソナルオーディオデバイス。
【請求項３】
前記ソースオーディオは、前記第１のサンプルレートと等しいサンプルレートを有し、前記処理回路は、コンバイナを備え、該コンバイナは、該ソースオーディオと前記アンチノイズ信号とを該第１のサンプルレートで組み合わせ、前記オーディオ信号を生成する、請求項１に記載のパーソナルオーディオデバイス。
【請求項４】
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける周囲のオーディオサウンドの第２の測定を行うことと、
該基準マイクロフォンの出力をフィルタリングする適合的フィルタの応答を適合させることにより、該第１の測定の結果および該第２の測定の結果から、該トランスデューサの音響出力における該周囲のオーディオサウンドの影響を打ち消すためのアンチノイズ信号を適合的に生成することと、
該アンチノイズ信号をソースオーディオ信号と組み合わせることにより、該トランスデューサに提供されるオーディオ信号を生成することと
を含み、該アンチノイズ信号は、該適合的フィルタの係数制御の第２のサンプルレートより実質的に高い第１のサンプルレートで生成することであって、
前記ソースオーディオは、前記第２のサンプルレートと等しいか、または該第２のサンプルレートより低いサンプルレートを有し、
補間により、該ソースオーディオを前記第１のサンプルレートに変換することと、
前記アンチノイズ信号と前記補間の結果とを組み合わせ、該第１のサンプルレートで前記オーディオ信号を生成することと、
を有する方法。
【請求項５】
前記第１のサンプルレートで動作する二次経路適合的フィルタによる二次経路応答を用いて、前記ソースオーディオのコピーを成形することと、
前記エラーマイクロフォン信号から、該ソースオーディオのコピーを成形した結果を除去することにより、組み合わされたアンチノイズと周囲のオーディオサウンドとを示すエラー信号を生成することと、
前記第２のサンプルレートと等しいか、または該第２のサンプルレートより低いレートで、該二次経路適合的フィルタの係数を更新することと
をさらに含む、請求項４に記載の方法。
【請求項６】
前記ソースオーディオは、前記第１のサンプルレートと等しいサンプルレートを有し、前記方法は、該第１のサンプルレートで前記ソースオーディオと前記アンチノイズ信号とを組み合わせることにより、前記オーディオ信号を生成することをさらに含む、請求項４に記載の方法。
【請求項７】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該トランスデューサの音響出力および該トランスデューサにおける該周囲のオーディオサウンドを示すエラーマイクロフォン信号を受信するためのエラーマイクロフォン入力部と、
応答を有する適合的フィルタを実装する処理回路であって、該応答は、該基準マイクロフォン信号から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該適合的フィルタの第１のサンプルレートは、該係数制御ブロックが動作する第２のサンプルレートより実質的に高く、前記ソースオーディオは、前記第２のサンプルレートと等しいか、または該第２のサンプルレートより低いサンプルレートを有し、
前記処理回路に含まれた、該ソースオーディオを前記第１のサンプルレートに変換する補間器と、
前記処理回路に含まれた、前記アンチノイズ信号と該補間器の出力とを組み合わせ、該第１のサンプルレートで前記オーディオ信号を生成するコンバイナと、
を有する、集積回路。
【請求項８】
前記処理回路は、前記ソースオーディオを成形する二次経路応答を有する二次経路適合的フィルタと、コンバイナとを実装し、該コンバイナは、前記リスナに送達される組み合わされたアンチノイズと周囲のオーディオサウンドとを示すエラー信号を提供するために、前記エラーマイクロフォン信号から該ソースオーディオを除去し、前記二次経路適合的フィルタも、前記第１のサンプルレートで作動させられ、該二次経路適合的フィルタの係数の更新は、前記第２のサンプルレートと等しいか、または該第２のサンプルレートより低いレートで実行される、請求項７に記載の集積回路。
【請求項９】
前記ソースオーディオは、前記第１のサンプルレートと等しいサンプルレートを有し、前記処理回路は、コンバイナを備え、該コンバイナは、該ソースオーディオと前記アンチノイズ信号とを該第１のサンプルレートで組み合わせ、前記オーディオ信号を生成する、請求項７に記載の集積回路。
【請求項１０】
パーソナルオーディオデバイスであって、該パーソナルオーディオデバイスは、
パーソナルオーディオデバイス筐体と、
リスナへの再生のためのソースオーディオを供給する出力を有している、オーディオソースと、
オーディオ信号を再生するために該筐体に設置されているトランスデューサと、
前記ソースオーディオと、該トランスデューサの音響出力における周囲のオーディオサウンドの影響を打ち消すためのアンチノイズ信号とを組み合わせて、前記オーディオ信号を発生させるコンバイナと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
応答を有する適合的フィルタを実装する処理回路であって、該応答は、該基準マイクロフォン信号から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該処理回路は、該ソースオーディオが前記オーディオソースの出力において存在しているかどうかを検出し、該ソースオーディオが存在していることを検出したことに応答して、該適合的フィルタの適合を変更する、
パーソナルオーディオデバイス。
【請求項１１】
前記適合的フィルタの適合は、前記ソースオーディオの検出に応じて開始され、該ソースオーディオがない場合、停止されている、請求項１０に記載のパーソナルオーディオデバイス。
【請求項１２】
パーソナルオーディオデバイスのトランスデューサの近くにおける周囲のオーディオサウンドをキャンセルする方法であって、該方法は、
基準マイクロフォンを用いて該周囲のオーディオサウンドの第１の測定を行うことと、
オーディオソースから、ソースオーディオを供給することと、
エラーマイクロフォン用いて該トランスデューサの出力および該トランスデューサにおける周囲のオーディオサウンドの第２の測定を行うことと、
該基準マイクロフォンの出力をフィルタリングする適合的フィルタの応答を適合させることにより、該第１の測定の結果および該第２の測定の結果から、該トランスデューサの音響出力における該周囲のオーディオサウンドの影響を打ち消すためのアンチノイズ信号を適合的に生成することと、
前記ソースオーディオと、前記アンチノイズ信号とを結合することと、
前記トランスデューサにより、前記結合されたソースオーディオと前記アンチノイズ信号とを再生することと、
ソースオーディオが前記オーディオソースの出力において存在するかどうかを検出することと、
該ソースオーディオが存在していることを検出したことに応答して、該適合的フィルタの適合を変更することと
を含む、方法。
【請求項１３】
前記適合的フィルタの適合を変更することは、前記ソースオーディオの検出に応じて該適合的フィルタの適合を開始することと、該ソースオーディオが存在していないことの検出に応じて、該適合を中止することとを含む、請求項１２に記載の方法。
【請求項１４】
リスナへの再生のためのソースオーディオを供給する出力を有している、オーディオソースと、
パーソナルオーディオデバイスの少なくとも一部分を実装するための集積回路であって、該集積回路は、
前記ソースオーディオと、トランスデューサの音響出力における周囲のオーディオサウンドの影響を打ち消すためのアンチノイズ信号とを結合してオーディオ信号を発生させるコンバイナと、
該周囲のオーディオサウンドを示す基準マイクロフォン信号を受信するための基準マイクロフォン入力部と、
該トランスデューサの音響出力および該トランスデューサにおける周囲のオーディオサウンドを示すエラーマイクロフォン信号を受信するためのエラーマイクロフォン入力部と、
応答を有する適合的フィルタを実装する処理回路であって、該応答は、該基準マイクロフォン信号から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該エラーマイクロフォンにおける該周囲のオーディオサウンドを最小化するために、該適合的フィルタの応答を適合させることによって、該エラーマイクロフォン信号および該基準マイクロフォン信号に従い、該適合的フィルタの応答を成形し、該処理回路は、該ソースオーディオが前記オーディオソースの出力において存在しているかどうかを検出し、該ソースオーディオが存在していることを検出したことに応答して、該適合的フィルタの適合を変更する、集積回路。
【請求項１５】
前記適合的フィルタの適合は、前記ソースオーディオの検出に応じて開始され、該ソースオーディオがない場合、停止されている、請求項１４に記載の集積回路。
【請求項１６】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために、該筐体に設置されている基準マイクロフォンと、
該基準マイクロフォン信号を基準マイクロフォンデジタル表現に変換するための第１のアナログデジタル変換器と、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
該エラーマイクロフォン信号をエラーマイクロフォンデジタル表現に変換するための第２のアナログデジタル変換器と、
応答を有する適合的フィルタを実装する処理回路であって、該応答は、基準マイクロフォンデジタル表現から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該エラーマイクロフォンにおける該周囲のオーディオサウンドを最小化するために、該適合的フィルタの応答を適合させることによって、該エラーマイクロフォンデジタル表現および該基準マイクロフォンデジタル表現に従い、該適合的フィルタの応答を成形し、該処理回路は、該適合的フィルタへの入力から第１のＤＣ成分を除去するために、第１のディジタルフィルタをさらに実装し、該第１のディジタルフィルタは、第一の高域通過特性を有し、該第１のアナログデジタル変換器と前記アンチノイズ信号が生成される該適合的フィルタへの入力との間に結合され、
前記処理回路は、前記係数制御ブロックへの第一の入力から第２のＤＣ成分を除去するために、前記第一の高域通過特性とは異なる第二の高域通過特性を有する第２のディジタルフィルタであって、該第１のアナログデジタル変換器と前記係数制御ブロックとの間に接続される前記第２のディジタルフィルタを更に有する、
パーソナルオーディオデバイス。
【請求項１７】
前記処理回路は、前記係数制御ブロックへの第３の入力から第３のＤＣ成分を除去するために、第３のフィルタをさらに実装し、該第３のフィルタは、第３の高域通過特性を有し、該第３のフィルタは、前記第２のアナログデジタル変換器と該係数制御ブロックとの間に結合されている、請求項１６に記載のパーソナルオーディオデバイス。
【請求項１８】
前記第１のディジタルフィルタは約２００Ｈｚのカットイン周波数を有し、前記第２のディジタルフィルタは、前記トランスデューサが有意義な応答を有する２００Ｈｚ以下のカットイン周波数を有する、請求項１６に記載のパーソナルオーディオデバイス。
【請求項１９】
パーソナルオーディオデバイスのトランスデューサの近くにおける周囲のオーディオサウンドをキャンセルする方法であって、該方法は、
基準マイクロフォンを用いて該周囲のオーディオサウンドの第１の測定を行うことと、
該第１の測定の結果の第１のデジタル表現への第１の変換を行うことと、
エラーマイクロフォンを用いて該トランスデューサの出力および該トランスデューサにおける周囲のオーディオサウンドの第２の測定を行うことと、
該第２の測定の結果の第２のデジタル表現への第２の変換を行うことと、
該第１のデジタル表現に対する第１のフィルタリングを第１のディジタルハイパスフィルタで行うことと、
該第１のデジタル表現に対する第２のフィルタリングを、前記第１のディジタルフィルタの応答とは異なる応答を有する第２のディジタルハイパスフィルタで行うことと、
前記第１のフィルタリングの結果により、前記第１のフィルタリングの結果をフィルタリングする適合的フィルタの応答を適合させることにより、該トランスデューサの音響出力における該周囲のオーディオサウンドの影響を打ち消すためのアンチノイズ信号を適合的に生成することと
を含み、該第１のフィルタリングは、該適合的フィルタへの入力から第１のＤＣ成分を除去するように作用し、
前記適合的フィルタは前記第２のフィルタリングの結果及び前記第２のディジタル表現を受信する係数制御ブロックにより調節され、
前記第２のフィルタリングは、前記適合的フィルタを制御する係数制御ブロックへの第１の入力から、第１のＤＣ成分を除去するように動作する、方法。
【請求項２０】
前記係数制御ブロックへの第２の入力から前記第２のＤＣ成分を除去するために、前記第２のディジタル表現に対する第３のフィルタリングを第３のディジタルハイパスフィルタにより行うことをさらに含む、請求項１９に記載の方法。
【請求項２１】
前記第１のディジタルフィルタは約２００Ｈｚのカットイン周波数を有し、前記第２のディジタルフィルタは、前記トランスデューサが有意義な応答を有する２００Ｈｚ以下のカットイン周波数を有する、請求項１９に記載の方法。
【請求項２２】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該基準マイクロフォン信号を基準マイクロフォンデジタル表現に変換するための第１のアナログデジタル変換器と、
該トランスデューサの音響出力および該トランスデューサにおける周囲のオーディオサウンドを示すエラーマイクロフォン信号を受信するためのエラーマイクロフォン入力部と、
該エラーマイクロフォン信号をエラーマイクロフォンデジタル表現に変換するための第２のアナログデジタル変換器と、
応答を有する適合的フィルタを実装する処理回路であって、該応答は、基準マイクロフォンデジタル表現から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該エラーマイクロフォンにおける該周囲のオーディオサウンドを最小化するために、該適合的フィルタの応答を適合させることによって、該エラーマイクロフォンデジタル表現および該基準マイクロフォンデジタル表現に従い、該適合的フィルタの応答を成形し、該処理回路は、該適合的フィルタへの入力から第１のＤＣ成分を除去するために、第１のディジタルフィルタをさらに実装し、該第１のディジタルフィルタは、第一の高域通過特性を有し、該第１のアナログデジタル変換器と前記アンチノイズ信号が生成される該適合的フィルタへの入力との間に結合され、
前記処理回路は、前記係数制御ブロックへの第一の入力から第２のＤＣ成分を除去するために、前記第一の高域通過特性とは異なる第二の高域通過特性を有する第２のディジタルフィルタであって、該第１のアナログデジタル変換器と前記係数制御ブロックとの間に接続される前記第２のディジタルフィルタを更に有する、
集積回路。
【請求項２３】
前記処理回路は、前記係数制御ブロックへの第３の入力から第３のＤＣ成分を除去するために、第３のフィルタをさらに実装し、該第３のフィルタは、第３の高域通過特性を有し、該第３のフィルタは、前記第２のアナログデジタル変換器と該係数制御ブロックとの間に結合されている、請求項２２に記載の集積回路。
【請求項２４】
前記第１のディジタルフィルタは約２００Ｈｚのカットイン周波数を有し、前記第２のディジタルフィルタは、前記トランスデューサが有意義な応答を有する２００Ｈｚ以下のカットイン周波数を有する、請求項２３に記載の集積回路。
【請求項２５】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該基準マイクロフォン信号を基準マイクロフォンデジタル表現に変換するための第１のアナログデジタル変換器と、
第１のシグマ−デルタ量子化器であって、該第１のシグマ−デルタ量子化器は第一のディジタル表現を量子化することにより、低下された解像度の第二の基準マイクロフォン信号ディジタル表現を生成する、第１のシグマ−デルタ量子化器と、
応答を有する適合的フィルタを実装する処理回路であって、該応答は、該低下された解像度の第二の基準マイクロフォン信号ディジタル表現から、該リスナによって聞き取られる該周囲のオーディオサウンドの存在を低減するためのアンチノイズ信号を生成する、処理回路と
を備え、該処理回路は、係数制御ブロックを実装し、該係数制御ブロックは、該適合的フィルタの応答を適合させることによって、該エラーマイクロフォンデジタル表現および該基準マイクロフォン信号に従い、該適合的フィルタの応答を成形する、
パーソナルオーディオデバイス。
【請求項２６】
前記ソースオーディオは、ディジタルソースオーディオであり、また、前記パーソナルオーディオデバイスは更に：
第２のシグマ−デルタ量子化器であって、該第２のシグマ−デルタ量子化器は前記ソースオーディオ表現を量子化することにより、低下された解像度のディジタルオーディオ表現を生成する、第２のシグマ−デルタ量子化器と、
前記トランスデューサの音響出力および該トランスデューサにおける前記周囲のオーディオサウンドを示すエラーマイクロフォン信号を提供するために、該トランスデューサの近くにおいて前記筐体に設置されている、エラーマイクロフォンであって、前記処理回路は、前記低下された解像度のディジタルオーディオ表現をフィルタして、フィルタを通されたソースオーディオ表現を成形する二次経路応答を有する二次経路適合的フィルタと、コンバイナとを実装し、該コンバイナは、前記エラーマイクロフォン信号から該フィルタを通されたソースオーディオ表現を除去することにより、前記リスナに送達される組み合わされたアンチノイズと周囲のオーディオサウンドとを示す前記係数制御ブロックにエラー信号を提供する、エラーマイクロフォン、
をさらに備える、請求項２５に記載のパーソナルオーディオデバイス。
【請求項２７】
パーソナルオーディオデバイスのトランスデューサの近くにおける周囲のオーディオサウンドをキャンセルする方法であって、該方法は、
基準マイクロフォンを用いて周囲のオーディオサウンドの第１の測定を行うことと、
第１のアナログデジタル変換器を用いて、該基準マイクロフォン信号を基準マイクロフォンデジタル表現に変換することと、
シグマ−デルタシェーパを用いて、該第一の基準マイクロフォン信号を量子化することにより、低下された解像度のマイクロフォン信号ディジタル表現を生成することと、
該基準マイクロフォン信号ディジタル表現をフィルタリングする適合的フィルタの応答を適合させることにより、前記低下された解像度のマイクロフォン信号ディジタル表現から、該トランスデューサの音響出力における該周囲のオーディオサウンドの影響を打ち消すためのアンチノイズ信号を適合的に生成することと
を含む、方法。
【請求項２８】
ディジタルソースオーディオを量子化することにより、低下された解像度のディジタルソースオーディオ表現を生成することと、
エラーマイクロフォンを用いて前記トランスデューサの出力および該トランスデューサにおける前記周囲のオーディオサウンドの第２の測定を行うことであって、前記適合的に生成することは、低下された解像度のディジタルソースオーディオ表現を成形する二次経路応答を有する二次経路適合的フィルタを用いて該低下された解像度のディジタルソースオーディオ表現をフィルタリングすることと、該エラーマイクロフォン信号から前記二次経路適合的フィルタの結果の出力を除去することにより、リスナに送達される組み合わされたアンチノイズと周囲のオーディオサウンドとを示すエラー信号を提供することとを含む、第２の測定を行うこと、
をさらに含む、請求項２７記載の方法。
【請求項２９】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
該周囲のオーディオサウンドを示す基準マイクロフォン信号を受信するための基準マイクロフォン入力部と、
該基準マイクロフォン信号を第一の基準マイクロフォン信号デジタル表現に変換するための第１のアナログデジタル変換器と、
第１のシグマ−デルタ量子化器であって、該第１のシグマ−デルタ量子化器は第一のディジタル表現を量子化することにより、低下された解像度の第二の基準マイクロフォン信号ディジタル表現を生成する、第１のシグマ−デルタ量子化器と、
応答を有する適合的フィルタを実装する処理回路であって、該応答は、低下された解像度の第二の基準マイクロフォン信号ディジタル表現から、該リスナによって聞き取られる該周囲のオーディオサウンドの存在を低減するための該アンチノイズ信号を生成する、処理回路と
を備え、該処理回路は、係数制御ブロックを実装し、該係数制御ブロックは、該適合的フィルタの応答を適合させることによって、該基準マイクロフォン信号に従い、該適合的フィルタの応答を成形する、
該集積回路。
【請求項３０】
前記ソースオーディオは、ディジタルソースオーディオであり、また、前記集積回路は更に：
第２のシグマ−デルタ量子化器であって、該第２のシグマ−デルタ量子化器は前記ソースオーディオ表現を量子化することにより、低下された解像度のディジタルオーディオ表現を生成する、第２のシグマ−デルタ量子化器と、
前記トランスデューサの音響出力および該トランスデューサにおける前記周囲のオーディオサウンドを示すエラーマイクロフォン信号を受信するためのエラーマイクロフォン入力部であって、前記処理回路は、前記低下された解像度のディジタルオーディオ表現をフィルタして、フィルタを通されたソースオーディオ表現を成形する二次経路応答を有する二次経路適合的フィルタと、コンバイナとを実装し、該コンバイナは、前記エラーマイクロフォン信号からフィルタを通されたソースオーディオ表現を除去することにより、前記リスナに送達される組み合わされたアンチノイズと周囲のオーディオサウンドとを示す前記係数制御ブロックにエラー信号を提供する、エラーマイクロフォン入力部と、を有する
請求項２９に記載の集積回路。